(57)【特許請求の範囲】
【請求項１】
上面側が開口する本体フレームと、その本体フレームの上面側に張設されるヘッドと、そのヘッドに張力を付与する円環状のフープと、そのフープを前記本体フレームに固着させるボルトとを備える打楽器において、
前記ボルトは、おねじが螺刻されるおねじ部と、そのおねじ部の一端側に連設されると共に前記おねじ部の外径よりも大きな外形を有する頭部とを備え、
前記本体フレームは、その下面を構成する底部と、その底部の周縁部分に立設される円筒状のフレーム外周部と、そのフレーム外周部よりも小径の円筒状に形成されると共に前記フレーム外周部の内周側で前記底部に立設されるフレーム内周部と、そのフレーム内周部および前記フレーム外周部の間に位置する前記底部に貫通形成されると共に前記ボルトのおねじ部が挿入可能なボルト孔とを備え、前記ヘッドが前記フレーム内周部の上端部分に張設されると共に、前記フープが前記フレーム外周部および前記フレーム内周部の間に配設され、
前記フープは、その下面に凹設される凹設部と、その凹設部に遊嵌されると共に前記ボルトが螺合可能なめねじを有するナットと、そのナットが遊嵌された前記凹設部を封止しつつ前記フープの下面に固着される封止具とを備え、
前記封止具は、前記ボルトのおねじ部が挿通可能な挿通孔を備え、
前記ボルトのおねじ部が前記本体フレームの底部のボルト孔から挿入され、前記封止具の挿通孔に挿通されつつ前記凹設部に遊嵌された前記ナットに螺合されることで、前記フープが前記本体フレームに固着されることを特徴とする打楽器。
【請求項２】
前記フープは、その上面が外周側から内周側へ向かうにつれて下降傾斜していることを特徴とする請求項１記載の打楽器。
【請求項３】
前記凹設部は、前記ナットが遊嵌可能に凹設される第１収容部と、その第１収容部の凹設底面に凹設されると共に前記フープの下面側から視た内周形状が軸心方向から視た前記ナットの外形よりも小さく、かつ、前記ボルトのおねじ部の外径よりも大きく設定される第２収容部とを備えていることを特徴とする請求項１又は２に記載の打楽器。
【請求項４】
前記封止具は、前記フープに嵌合可能な略コ字状に形成されることを特徴とする請求項１から３のいずれかに記載の打楽器。
【請求項５】
前記フープは、その下端よりも上面側に形成されると共に前記封止具が固着される固着部を備え、
前記封止具が前記固着部に固着された状態において、前記封止具の下端が前記フープの下端よりも上方に位置することを特徴とする請求項１から４のいずれかに記載の打楽器。
【発明の詳細な説明】
【技術分野】
【０００１】
本発明は、打楽器に関し、特に、打面側の美感を良くすることができると共に、めねじの強度を確保しつつボルトをめねじに螺合させる作業を効率的に行うことができる打楽器に関するものである。
【背景技術】
【０００２】
従来より、アコースティックの打楽器を模した電子打楽器または練習用の打楽器が知られている。例えば、特開２００７−２４９１４０号公報には、略中空円筒状の胴部２（本体フレーム）と、打撃される打撃面として構成されるヘッド５と、そのヘッド５に張力を付与するフープ４と、そのフープ４を胴部２に螺合結合する係合ボルト７（ボルト）とを備えた電子打楽器１が開示されている。
【先行技術文献】
【特許文献】
【０００３】
【特許文献１】特開２００７−２４９１４０号公報(段落［００２７］，［００２８］など)
【発明の概要】
【発明が解決しようとする課題】
【０００４】
しかしながら、上述した従来の電子打楽器１では、係合ボルト７をヘッド５が配設される打面側からフープ４のボルト孔４ｂに挿入し、胴部２に形成されたメネジ２ｅにナットを螺合させていたので、フープ４の打面側から係合ボルト７が露出し、打面側の美感が損なわれるという問題点があった。
【０００５】
これに対し、出願人は、ボルトを胴部の下面側から挿入すると共に胴部の内部でフープにボルトを螺着させることで、上面側（打面側）の美感を良くすることを発案した（出願時において未公知）。
【０００６】
ここで、胴部の内部でボルトをフープに螺着させる方法として、めねじを螺刻されたねじ孔をフープに形成することが考えられる。しかし、フープがボルトより剛性の低い樹脂材料等で構成されている場合には、ボルトがねじ孔に対して斜め方向から螺入されること等により、めねじが損耗しやすくなるという問題点があった。また、胴部の内部でボルトをフープに螺着させる他の方法として、フープにナットを固着することも考えられるが、この場合には、外部からはナットを目視できない状態で、ナットの軸心方向に沿ってボルトをナットに螺入させる必要があるため、ボルトをナットに螺合させる作業が非効率的であるという問題点があった。
【０００７】
本発明は、上述した問題点を解決するためになされたものであり、打面側の美感を良くできると共に、めねじの強度を確保しつつボルトをめねじに螺合させる作業を効率的に行うことができる打楽器を提供することを目的としている。
【課題を解決するための手段および発明の効果】
【０００８】
請求項１記載の打楽器によれば、本体フレームの底部に形成されたボルト孔からボルトのおねじ部を挿入し、フープの凹設部に遊嵌されたナットにおねじ部を螺合させることで、フープを本体フレームに固着させることができる。このように、ボルトを本体フレームの下面側から挿入し、本体フレームの内部でボルトが凹設部に遊嵌されたナットに螺合されるので、打面側に配設されるフープの上面側からボルトが露出することを回避できる。よって、打面側の美感を良くすることができるという効果がある。
また、フープの下面に固着された封止具によって封止された凹設部にナットが遊嵌されているので、ナット及びフープの製造時において寸法誤差が生じた場合であっても、その寸法誤差を吸収することができるという効果がある。
更に、ナットが凹設部に遊嵌されているので、ボルトのおねじ部が凹設部に挿入された際に、おねじ部がナットの軸心方向に対して斜め方向から挿入された場合であっても、ナットに対するおねじ部の螺入方向とナットの軸心方向とが一致するようにナットを凹設部の内部で変位させつつ、ボルトのおねじ部をナットに螺合させることができる。よって、ボルトをナットに螺合させる作業を効率的に行うことができるという効果がある。
【０００９】
請求項２記載の打楽器によれば、請求項１記載の打楽器の奏する効果に加え、フープの上面が外周側から内周側へ向かうにつれて下降傾斜しているので、ヘッドを打撃する際にフープが打撃されることを回避しやすくすることができる。
【００１０】
即ち、フープの上面をヘッドと略同一面上に配設することで、フープの上面をヘッドに似せることができ、ヘッドを大きく見せることができる一方、フープに凹設部が形成されたことによりフープの径方向における寸法が従来よりも大きくなる分、打楽器の演奏時に誤ってフープを打撃しやすくなる。
【００１１】
これに対し、フープの上面を外周側から内周側へ向かうにつれて下降傾斜させることで、ヘッドに近接するフープの内周側を打撃されにくくすることができるので、フープの上面をヘッドに似せつつフープが打撃されることによる異音の発生を回避しやすくできるという効果がある。
【００１２】
【００１３】
【００１４】
請求項３記載の打楽器によれば、請求項１又は２に記載の打楽器の奏する効果に加え、凹設部は、ナットが遊嵌される第１収容部と、その第１収容部の凹設底面に凹設された第２収容部とを備え、フープの下面側から視た第２収容部の内周形状が、軸心方向から視たナットの外形よりも小さく、かつ、ボルトのおねじ部の外径よりも大きく設定されているので、フープの下面側から第１収容部に挿入されてナットに螺入されナットから第１収容部の凹設底面側へ突出したボルトのおねじ部の螺入方向先端側を第２収容部に収容することができる。よって、ボルトのおねじ部の螺入方向先端を本体フレームの底部からより上方まで螺入させることができるので、ヘッドに対し十分な張力調整範囲を確保することができるという効果がある。
【００１５】
請求項４記載の打楽器によれば、請求項１から３のいずれかに記載の打楽器の奏する効果に加え、略コ字状に形成された封止具をフープに嵌合させることで、フープに凹設部を形成したことで低下したフープの強度を封止具によって補強することができるという効果がある。
【００１６】
請求項５記載の打楽器によれば、請求項１から４のいずれかに記載の打楽器の奏する効果に加え、フープは、その下端よりも上面側に形成されると共に封止具が固着される固着部を備え、封止具がフープ本体に固着された状態において、封止具の下端がフープ本体の下端よりも上方に位置するので、フープを本体フレームに固着させる際に、封止具が本体フレームの底部に当接することでボルトの締め付けが制限されることを回避できる。よって、ヘッドに対し十分な張力調整範囲を確保することができるという効果がある。
【図面の簡単な説明】
【００１７】
【図１】（ａ）は、本発明の第１実施の形態における打楽器の上面図であり、（ｂ）は、打楽器の下面図である。
【図２】打楽器の分解断面図である。
【図３】（ａ）は、フープ本体の下面側から視た斜視図であり、（ｂ）は、図３（ａ）のＩＩＩｂ方向視におけるフープ本体の側面図である。
【図４】（ａ）は、フープ本体の下面図であり、（ｂ）は、図４（ａ）のＩＶｂ−ＩＶｂ線におけるフープ本体の断面図であり、（ｃ）は、図４（ａ）のＩＶｃ−ＩＶｃ線におけるフープ本体の断面図である
【図５】（ａ）は、封止具の斜視図であり、（ｂ）は、封止具の上面図であり、（ｃ）は、図５（ａ）のＶｃ方向視における封止具の側面図であり、（ｄ）は、図５（ｂ）のＶｄ−Ｖｄ線における封止具の断面図および封止ボルトの側面図である。
【図６】図１（ａ）のＶＩ−ＶＩ線における打楽器１００の断面図である。
【図７】図１（ａ）のＶＩＩ−ＶＩＩ線における打楽器１００の断面図である。
【図８】（ａ）は、第２実施の形態におけるフープ本体の下方から視た斜視図であり、（ｂ）は、封止具の斜視図である。
【発明を実施するための形態】
【００１８】
以下、本発明の好ましい実施の形態について添付図面を参照して説明する。まず、図１を参照して、本発明の第１実施の形態における打楽器１００の概略構成について説明する。図１（ａ）は、本発明の第１実施の形態における打楽器１００の上面図であり、図１（ｂ）は、打楽器１００の下面図である。なお、図１（ａ）及び図１（ｂ）では、ドラムスタンド（図示せず）に接続された支持パイプ２に打楽器１００が連結された状態が図示されている。
【００１９】
図１（ａ）及び図１（ｂ）に示すように、打楽器１００は、アコースティックの打楽器を模した練習用の打楽器であり、上面側が開口する椀状の本体フレーム２０と、その本体フレーム２０の上面側に配設されるヘッド３０と、そのヘッド３０に係合されるフープ４０と、そのフープ４０を本体フレーム２０に固着するボルト５０と、フープ４０の外周側に配設されると共に本体フレーム２０に装着されるリムカバー６０とを主に備えて構成されている。
【００２０】
次に、図２を参照して、打楽器１００の詳細構成について説明する。図２は、打楽器１００の分解断面図であり、図１（ａ）のＶＩ−ＶＩ線における断面図を分解した状態が図示されている。
【００２１】
図２に示すように、本体フレーム２０は、打楽器１００の胴体部分を構成する部材であり、本体フレーム２０の下面を構成する底部２１と、その底部２１の周縁部分に立設されるフレーム外周部２２と、そのフレーム外周部２２の内周側で底部２１に立設されるフレーム内周部２３と、そのフレーム内周部２３及びフレーム外周部２２の間に位置する底部２１に貫通形成されるボルト孔２４とを主に備えて構成されている。
【００２２】
底部２１は、本体フレーム２０の底面を構成する円形状の部位であり、底部２１の外周面側には支持パイプ２（図１参照）が連結されるパイプ連結部２０ａが固着されている。フレーム外周部２２は、本体フレーム２０の外周面を構成する円筒状の部位である。フレーム内周部２３は、ヘッド３０が張設される円筒状の部位であり、フレーム外周部２２と同心円上に配設されている。ボルト孔２４は、後述するボルト５０のおねじ部５１が挿入される孔であり、本体フレーム２０の下面側から視たボルト孔２４の内周形状が、ボルト５０のおねじ部５１の外径よりも大きく、かつ、頭部５２の外形よりも小さい円形状に形成されている。
【００２３】
ヘッド３０は、膜状の打面３１と、その打面３１の周縁部分に接着される係止部３２とを備えている。
【００２４】
打面３１は、演奏者により打撃される部位であり、網状素材から構成されている。よって、近隣に迷惑をかけるおそれのある家庭内等で使用する場合であっても、打面３１を打撃する際に発生する打撃音を低減させることができると共に、ヘッド３０に張力を付与することでアコースティックの打楽器を打撃した場合に近似した打撃感を模擬することができる。
【００２５】
係止部３２は、フープ４０に係止される円環状の部位であり、係止部３２の内径が本体フレーム２０のフレーム内周部２３よりも大径に設定されている。これにより、係止部３２を本体フレーム２０のフレーム内周部２３の外周側に配設した状態で、打面３１をフレーム内周部２３の上端に載置することができる。
【００２６】
フープ４０は、ヘッド３０に張力を付与する円環状の部位であり、樹脂材料から構成される円環状のフープ本体４１と、そのフープ本体４１の内周面から径方向内側へ向けてフランジ状に張出形成される張出部４２と、フープ本体４１の下面（図２下側の面）から上方（図２上方）へ向けて凹設される第１凹設部４３と、その第１凹設部４３の凹設底面からフープ本体４１の下方（図２下方）へ向けて突設される嵌合部４４と、その嵌合部４４の下面（図２下側の面）からフープ本体４１の上方へ向けて凹設される第２凹設部４５と、その第２凹設部４５に収容される略六角形状のナット４６と、そのナット４６が収容された第２凹設部４５を封止する封止具４７と、その封止具４７をフープ本体４１の下面側に固着させる封止ボルト４８とを備えている。
【００２７】
ボルト５０は、フープ４０に設けられたナット４６に螺合されることでフープ４０を本体フレーム２０に固着するための部材であり、おねじが螺刻された軸状のおねじ部５１と、そのおねじ部５１の一端側に連設されると共におねじ部５１の外径よりも大きな外形を有する頭部５２とを備えている。
【００２８】
リムカバー６０は、本体フレーム２０のフレーム外周部２２の上端部分を覆設する円環状の部材であり、ゴムから構成されている。リムカバー６０がゴムから構成されることで、フレーム外周部２３の上端部分（リム）を打撃する際の打撃音を低減させることができる。
【００２９】
次に、図３及び４を参照して、フープ本体４１の詳細構成について説明する。図３（ａ）は、フープ本体４１の下面側から視た斜視図であり、図３（ｂ）は、図３（ａ）のＩＩＩｂ方向視におけるフープ本体４１の側面図である。図４（ａ）は、フープ本体４１の下面図であり、図４（ｂ）は、図４（ａ）のＩＶｂ−ＩＶｂ線におけるフープ本体４１の断面図であり、図４（ｃ）は、図４（ａ）のＩＶｃ−ＩＶｃ線におけるフープ本体４１の断面図である。
【００３０】
図３及び図４に示すように、フープ本体４１は、フープ４０の本体部分を構成する部位であり、フープ本体４１の上面（図３（ｂ）下側の面）が外周側から内周側へ向かうにつれて下降傾斜している。また、フープ本体４１は、その外径が本体フレーム２０のフレーム外周部２２（図２参照）の内径よりも小さい寸法に設定されると共に、内径がヘッド３０の係止部３２（図２参照）の外径よりも大きい寸法に設定されている。なお、フープ本体４１をヘッド３０の打面３１（図２参照）と略同一色にすると共に、フープ本体４１の上面を打面３１と略同一面上に配設することで、フープ本体４１の上面を打面３１に似せることができ、打面３１を大きく見せることができる。
【００３１】
なお、フープ本体４１の上面の傾斜角度は、１５度以下、より好ましくは５度以下に設定されるのが好ましい。フープ本体４１の上面における傾斜角度を小さくすることで、フープ本体４１の上面をヘッド３０の打面３１により似せることができ、打面３１をより大きくみせることができる。
【００３２】
張出部４２は、ヘッド３０の係止部３２に係合される円環状の部位であり、張出部４２の内径が、本体フレーム２０のフレーム内周部２３（図２参照）の外径よりも大きく、かつ、ヘッド３０の係止部３２の外径よりも小さい寸法に設定されている。これにより、ヘッド３０の打面３１をフレーム内周部２３の上端に載置した状態で、本体フレーム２０の上面側（図２上側）からフープ４０をフレーム外周部２２及びフレーム内周部２３の間に嵌め込むことで、ヘッド３０の係止部３２がフープ４０の張出部４２に係合され、打面３１に張力が付与される。
【００３３】
第１凹設部４３は、封止具４７が配設される部位であり、径方向視略コ字状に凹設されている。嵌合部４４は、封止具４７が嵌合される柱状の部位であり、第１凹設部４３の凹設底面の中央部分に突設されると共にフープ本体４１の径方向に対して直交する方向に延設されている。また、嵌合部４４の下面（図４（ｃ）上側）には、封止ボルト４８（図５（ｄ）参照）が螺合されるめねじが内周面に螺刻された２つのめねじ孔４４ａが凹設形成されると共に、それら２つのめねじ孔４４ａの間に第２凹設部４５が凹設形成されている。
【００３４】
第２凹設部４５は、フープ４０を本体フレーム２０に固着する際に、ボルト５０のおねじ部５１（図２参照）が挿入される部位であり、嵌合部４４の下面に凹設される第１収容部４５ａと、その第１収容部４５ａの凹設底面に凹設される第２収容部４５ｂとを備えている。
【００３５】
第１収容部４５ａは、ナット４６（図２参照）が収容される部位であり、フープ本体４１の下面側（図４（ａ）紙面手前側）から視た内周形状が略六角形状に形成されている。また、第１収容部４５ａの凹設深さ寸法（嵌合部４４の下面から第１収容部４５ａの凹設底面までの寸法）における寸法が、ナット４６の厚さ方向（図２上下方向寸法）よりも大きな寸法に設定されると共に、フープ本体４１の下面側から視た第１収容部４５ａの内周形状が、ナット４６の軸心方向（図２上下方向）から視た外形よりも大きく設定されている。よって、第２凹設部４５に収容されたナット４６を第１収容部４５ａの内部に遊嵌させることができる。
【００３６】
第２収容部４５ｂは、フープ本体４１の下面側から視た内周形状が略円形状に形成されている。また、フープ本体４１の下面側から視た内周形状が、ナット４６の軸心方向（図２上下方向）から視た外形よりも小さく、かつ、ボルト５０のおねじ部５１の外径よりも大きい寸法に設定されている。よって、第１収容部４５ａの内部でナット４６に螺合された後、ナット４６から第１収容部４５ａの凹設底面側へ突出したボルト５０のおねじ部５１を第２収容部４５ｂに収容することができる。
【００３７】
なお、第１収容部４５ａの上下方向における寸法およびフープ本体４１の下面側から視た内周形状の寸法は、第１収容部４５ａに遊嵌されたナット４６が、その軸心方向を第１収容部４５ａの凹設方向（図４（ｂ）上下方向）に対して全方向に対して５度程度、傾斜させることができる程度に設定されることが望ましい。これにより、ナット４６が第１収容部４５ａの内部で回転することを防止できる。また、第１収容部４５ａは、フープ本体４１の下面側から視た内周形状が略六角形状に形成され、その第１収容部４５ａに略六角形状のナット４６を遊嵌されているので、ナット４６にボルト５０のおねじ部５１を螺入させる際に、ナット４６がボルト５０と共に回転することを第１収容部４５ａの内壁面によって規制できるので、ボルト５０をナット４６に螺合させやすくすることができる。
【００３８】
次に、図５を参照して、封止具４７の詳細構成について説明する。図５（ａ）は、封止具４７の斜視図であり、図５（ｂ）は、封止具４７の上面図であり、図５（ｃ）は、図５（ａ）のＶｃ方向視における封止具４７の側面図であり、図５（ｄ）は、図５（ｂ）のＶｄ−Ｖｄ線における封止具４７の断面図および封止ボルト４８の側面図である。
【００３９】
封止ボルト４８は、おねじが螺刻された軸部４８ａと、その軸部４８ａの一端側に連設されると共に軸部４８ａの外径よりも大きな外形を有する拡径部４８ｂとを備えている。
【００４０】
封止具４７は、金属材料から構成される略コ字状の部材であり、対向して配設される一対の側壁部４７ａと、その一対の側壁部４７ａに直交すると共に一対の側壁部４７ａの一端側（図５（ｃ）下側）どうしを連設する連設部４７ｂとを備えている。
【００４１】
一対の側壁部４７ａは、その離間寸法が、嵌合部４４の幅方向（フープ本体４１の径方向、図４（ｂ）左右方向）における寸法と同等または嵌合部４４の幅方向における寸法よりも大きな寸法に設定されている。これにより、封止具４７を嵌合部４４に嵌合させることができる。
【００４２】
連設部４７ｂは、ボルト５０のおねじ部５１（図２参照）が挿通可能な第１挿通孔４７ｃと、封止ボルト４８の軸部４８ａが挿通可能な第２挿通孔４７ｄとを備えており、第１挿通孔４７ｃ及び第２挿通孔４７ｄは、嵌合部４４におけるめねじ孔４４ａ及び第２凹設部４５の形成位置と対応する位置に形成されている。よって、封止ボルト４８によって封止具４７がフープ本体４１（図２参照）の下面に固着された状態において、第１挿通孔４７ｃに挿入されたボルト５０のおねじ部５１を第２凹設部４５へ案内することができる。
【００４３】
なお、封止具４７の連設部４７ｂの厚さ寸法と封止ボルト４８の拡径部４８ｂの厚さ寸法との和が、フープ本体４１の下端面と嵌合部４４の下面との上下方向における寸法との差よりも小さく設定されている。これにより、封止具４７が封止ボルト４８により嵌合部４４に固着された状態において、封止具４７及び封止ボルト４８がフープ本体４１の下端よりも下方へ張り出すことを防止できる。
【００４４】
次に、図６及び図７を参照して、ボルト５０によってフープ４０が本体フレーム２０に固着された状態における打楽器１００の詳細構成について説明する。図６は、図１（ａ）のＶＩ−ＶＩ線における打楽器１００の断面図である。図７は、図１のＶＩＩ−ＶＩＩ線における打楽器１００の断面図である。
【００４５】
図６に示すように、ヘッド３０は、係止部３２が本体フレーム２０のフレーム内周部２３の外周側に配設されると共に打面３１がフレーム内周部２３の上端部分に載置されている。フープ４０は、本体フレーム２０の上面側からフレーム外周部２２とフレーム内周部２３との間に嵌め込まれている。これにより、ヘッド３０の係止部３２とフープ４０の張出部４２とが互いに係合されている。ボルト５０は、おねじ部５１が本体フレーム２０の底部２１に形成されたボルト孔２４から本体フレーム２０の内部に挿入され、頭部５２が底部２１に係止されている。本体フレーム２０の内部に挿入されたおねじ部５１は、フープ４０のフープ本体４１の下面に固着された封止具４７の第１挿通孔４７ｃに挿通されて第２凹設部４５に進入し、その第２凹設部４５の第１収容部４５ａに遊嵌されたナット４６に螺合されている。これにより、ボルト５０がフープ４０に螺着され、フープ４０が本体フレーム２０に固着されると共に、ボルト５０の締め付けによってフープ４０が本体フレーム２０の底部２１側に引きつけられることでヘッド３０の打面３１に張力が付与され、ヘッド３０が本体フレーム２０に張設される。
【００４６】
このように、ボルト５０が本体フレーム２０の下面側から挿入され、ボルト５０の頭部５２が本体フレーム２０の底部２１に係止されると共に、おねじ部５１が本体フレーム２０の内部でフープ４０に螺着されるので、フープ４０の上面側からボルト５０が露出することを回避できる。よって、打楽器１００の打面側における美感を良くすることができる。
【００４７】
また、ボルト孔２４が本体フレーム２０のフレーム外周部２２とフレーム内周部２３との間に位置する底部２１に貫通形成されるので、ボルト５０のおねじ部５１を本体フレーム２０の内部に配設することができる。これにより、ボルト５０のおねじ部５１にグリス等が塗布されている場合であっても、そのグリス等が手や衣服等に付着することを防止できる。
【００４８】
さらに、ヘッド３０が本体フレーム２０に張設された状態において、フープ本体４１の上面をヘッド３０の打面３１と略同一面上となる位置に配設することで、フープ本体４１の上面を打面３１に似せることができ、打面３１を大きく見せることができる。
【００４９】
なお、フープ本体４１にナット４６が収容されることで、フープ本体４１の径方向（図６左右方向）の寸法を従来品よりも大きく確保する必要がある。そのため、フープ本体４１の上面をヘッド３０の打面３１と略同一面上となる位置に配設することで、演奏時に誤ってフープ４０が打撃されやすくなる。
【００５０】
これに対し、フープ４０は、フープ本体４１の上面を外周側から内周側へ向かうにつれて下降傾斜させることで、打面３１に近接するフープ本体４１の内周側が打撃されることを抑制できるので、フープ４０が打撃されることによる異音の発生を回避しやすくできる。
【００５１】
また、フープ本体４１の下面に第２凹設部４５が形成されると共に、その第２凹設部４５にナット４６が収容され、そのナット４６にボルト５０が螺合されるので、樹脂材料から構成されるフープ本体４１に直接めねじを形成し、そのめねじにボルト５０が螺合される場合と比べて、めねじの強度を確保でき、めねじの損耗を抑制できる。
【００５２】
さらに、フープ本体４１の下面には封止ボルト４８によって封止具４７が固着され、その封止具４７によってナット４６が収容された第２凹設部４５を封止しているので、ボルト５０をナット４６に螺合させる際にナット４６をボルト５０の頭部５２側に引きつけようとする力が、封止具４７に対して作用する。従って、封止具４７を用いずにナット４６を直接フープ本体４１に固着させる場合と比べて、ボルト５０をナット４６に螺合させる際にフープ本体４１に作用する応力を分散させることができ、その結果、ナット４６がフープ本体４１から脱落することを回避しやすくできる。
【００５３】
また、第２凹設部４５に収容されたナット４６は、第１収容部４５ａに遊嵌されているので、ナット４６及びフープ４０の製造時において寸法誤差が生じた場合であっても、その寸法誤差を吸収することができる。
【００５４】
さらに、ナット４６が第１収容部４５ａに遊嵌されているので、ボルト５０のおねじ部５１が第１収容部４５ａに挿入された際に、そのおねじ部５１がナット４６の軸心方向（図６上下方向）に対して斜め方向から挿入された場合であっても、ナット４６に対するおねじ部５１の螺入方向とナット４６の軸心方向とが一致するようにナット４６を第１収容部４５ａの内部で変位させつつ、おねじ部５１をナット４６に螺合させることができる。よって、ボルト５０をナット４６に螺合させる作業を効率的に行うことができる。
【００５５】
また、第２凹設部４５は、第１収容部４５ａの凹設底面に凹設された第２収容部４５ｂを備え、その第２収容部４５ｂの凹設方向から視た内周形状が、ナット４６の軸心方向から視た外形よりも小さく、かつ、ボルト５０のおねじ部５１の外径よりも大きく設定されている。よって、フープ本体４１の下面側から第２凹設部４５に進入してナット４６に螺入された後、ナット４６から第１収容部４５ａの凹設底面側（図６上側）に突出したおねじ部５１の螺入方向先端側を、第２収容部４５ｂに収容することができる。よって、ボルト５０のおねじ部５１の螺入方向先端を本体フレーム２０の底部２１からより上方まで螺入させることができるので、ヘッド３０の打面３１に対して十分な張力調整範囲を確保することができる。
【００５６】
さらに、略コ字状に形成された封止具４７を嵌合部４４に嵌合させることで、フープ本体４１に第１凹設部４３及び第２凹設部４５を形成したことで低下したフープ本体４１の強度を封止具４７によって補強することができる。
【００５７】
また、図７に示すように、封止具４７及び封止ボルト４８が、フープ本体４１の下端よりも上方に位置している。よって、ボルト５０の締め付けに伴ってフープ４０が本体フレーム２０の底部２１側へ引きつけられる際に、フープ本体４１の下端よりも先に封止具４７及び封止ボルト４８が本体フレーム２０の底部２１に当接することでボルト５０の締め付けが規制されることを回避できる。これにより、ヘッド３０の打面３１に対して十分な張力調整範囲を確保することができる。
【００５８】
次に、図８を参照して、第２実施の形態について説明する。第１実施の形態では、フープ本体４１の下面に対して略コ字状に形成される６つの封止具４７が固着される場合について説明したが、第２実施の形態では、フープ本体２４１の下面に対して円環状に形成される封止具２４７が固着される。なお、上記した第１実施の形態と同一の部分には同一の符号を付して、その説明を省略する。
【００５９】
図８（ａ）は、第２実施の形態におけるフープ本体２４１の下方から視た斜視図であり、図８（ｂ）は、封止具２４７の斜視図である。
【００６０】
図８（ａ）に示すように、フープ本体２４１は、樹脂材料から構成される円環状の部材であり、フープ本体２４１の内周面には張出部４２が張出形成されると共に、フープ本体２４１の下面には第２凹設部４５及びめねじ孔４４ａが凹設形成されている。
【００６１】
図８（ｂ）に示すように、封止具２４７は、板状の金属材料から構成される円環状の部材であり、第１挿通孔４７ｃと、第２挿通孔４７ｄとを備え、それら第１挿通孔４７ｃ及び第２挿通孔４７ｄがフープ本体４１における第２凹設部４５及びめねじ孔４４ａと対応する位置に形成されている。よって、封止ボルト４８（図５（ｄ）参照）によって封止具２４７をフープ本体２４１の下面に固着した際には、封止具２４７の第１挿通孔４７ｃとフープ本体２４１の第２凹設部４５とを連通させることができる。
【００６２】
また、封止具２４７が円環状に形成されているので、フープ本体２４１の下面全体を封止具２４７によって補強することができる。よって、フープ本体２４１の変形を抑制できる。
【００６３】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【００６４】
例えば、上記各実施の形態では、本発明が練習用の打楽器１００に適用される場合について説明したが、必ずしもこれに限られるものではなく、ヘッド３０の打面３１又はリムカバー６０が打撃された際の振動を検出するセンサを備えたいわゆる電子打楽器に適用してもよい。
【００６５】
上記各実施の形態では、６つのボルト５０によってフープ４０をフレーム本体２０に固着する場合について説明したが、これに限られるものではなく、５個以下または７個以上のボルト５０によってフープ４０をフレーム本体２０に固着してもよい。ボルト５０を５個以下にすることで、ボルト５０の部品コスト及び本体フレーム２０及びフープ４０の製造コストを削減できると共に、螺合させるボルト５０の数を少なくすることでボルト５０をフープ４０に螺着する作業を簡素化できる。また、ボルト５０を７個以上にすることで、ヘッド３０の打面３１に対して張力を均等に付与することができる。
【００６６】
上記各実施の形態では、封止具４７，２４７が封止ボルト４８によってフープ本体４１，２４１の下面に固着される場合について説明したが、必ずしもこれに限られるものではなく、封止具４７，２４７が接着やかしめ等の手段によりフープ本体４１，２４１に固着されてもよい。これにより、封止ボルト４８を不要とすることができるので、その分、部品コストを削減することができる。
【００６７】
上記各実施の形態では、フープ本体４１，２４１の上面が外周側から内周側へ向けて下降傾斜する場合について説明したが、これに限られるものではなく、フープ本体４１，２４１の上面を水平にしてもよい。これにより、フープ本体４１，２４１の上面をよりヘッド３０の打面３１に似せることができ、打面３１をより大きく見せることができる。
【００６８】
さらに、フープ本体４１，２４１の上面にゴム等の弾性材料から構成される弾性部材を覆設してもよい。これにより、演奏時に誤ってフープ４０を打撃した場合であっても、フープ４０が打撃されることにより発生する打撃音を低減させることができる。また、フープ本体４１の上面とそのフープ本体４１の上面に覆設される弾性部材との間にセンサを設け、そのセンサによってフープ４０が打撃されたことを検出できる構成についてもよい。
【００６９】
上記各実施の形態では、フープ本体４１，２４１に形成された第２凹設部４５にナット４６が収容され、そのナット４６にボルト５０を螺合させる場合について説明したが、必ずしもこれに限られるものではなく、フープ本体４１，２４１に直接めねじを螺刻し、そのめねじにボルト５０を螺合させてもよい。これにより、ナット４６、封止具４７，２４７及び封止ボルト４８が不要とすることができるので、部品コストを削減することができる。
【００７０】
上記各実施の形態では、ナット４６がフープ本体４１，２４１に遊嵌される場合について説明したが、必ずしもこれに限られるものではなく、ナット４６をフープ本体４１，２４１に固着してもよい。これにより、フープ本体４１，２４１を保持することでナット４６の軸心方向を固定させることができる。
【００７１】
上記第１実施の形態では、フープ４０が第１凹設部４３と嵌合部４４とを備え、その嵌合部４４に封止具４７が固着される場合について説明したが、必ずしもこれに限られるものではなく、第１凹設部４３及び嵌合部４４を省略し、フープ本体の下面に封止具を嵌合させてもよい。なお、この場合、封止具の一対の側壁部の離間寸法をフープ本体の径方向における寸法と同等またはフープ本体の径方向における寸法よりも大きく設定されるものとする。これにより、フープ本体に第１凹設部４３と嵌合部４４を形成することが不要となるので、フープ本体の製造コストを抑制できる。
【００７２】
上記第２実施の形態では、封止具２４７が板状の金属材料から構成される場合について説明したが、必ずしもこれに限られるものではなく、封止具２４７が樹脂材料から構成されてもよい。
＜その他＞
＜手段＞
技術的思想１の打楽器は、上面側が開口する本体フレームと、その本体フレームの上面側に張設されるヘッドと、そのヘッドに張力を付与する円環状のフープと、そのフープを前記本体フレームに固着させるボルトとを備える打楽器において、前記ボルトは、おねじが螺刻されるおねじ部と、そのおねじ部の一端側に連設されると共に前記おねじ部の外径よりも大きな外形を有する頭部とを備え、前記本体フレームは、その下面を構成する底部と、その底部の周縁部分に立設される円筒状のフレーム外周部と、そのフレーム外周部よりも小径の円筒状に形成されると共に前記フレーム外周部の内周側で前記底部に立設されるフレーム内周部と、そのフレーム内周部および前記フレーム外周部の間に位置する前記底部に貫通形成されると共に前記ボルトのおねじ部が挿入可能なボルト孔とを備え、前記ヘッドが前記フレーム内周部の上端部分に張設されると共に、前記フープが前記フレーム外周部および前記フレーム内周部の間に配設され、前記フープは、その下面に凹設されると共に前記ボルトのおねじ部が螺合可能なめねじを有する凹設部を備え、前記ボルトのおねじ部が前記本体フレームの底部のボルト孔から挿入され前記フープの凹設部に螺合されることで、前記フープが前記本体フレームに固着される。
技術的思想２の打楽器は、技術的思想１記載の打楽器において、前記フープは、その上面が外周側から内周側へ向かうにつれて下降傾斜している。
技術的思想３の打楽器は、技術的思想１又は２に記載の打楽器において、前記フープは、前記凹設部に遊嵌されると共に前記ボルトが螺合可能なめねじを有するナットと、そのナットが遊嵌された前記凹設部を封止しつつ前記フープの下面に固着される封止具とを備え、前記封止具は、前記ボルトのおねじ部が挿通可能な挿通孔を備え、前記ボルトのおねじ部が前記封止具の挿通孔に挿通されつつ前記フープのナットに螺合される。
技術的思想４の打楽器は、技術的思想３記載の打楽器において、前記凹設部は、前記ナットが遊嵌可能に凹設される第１収容部と、その第１収容部の凹設底面に凹設されると共に前記フープの下面側から視た内周形状が軸心方向から視た前記ナットの外形よりも小さく、かつ、前記ボルトのおねじ部の外径よりも大きく設定される第２収容部とを備えている。
技術的思想５の打楽器は、技術的思想３又は４に記載の打楽器において、前記封止具は、前記フープに嵌合可能な略コ字状に形成される。
技術的思想６の打楽器は、技術的思想３から５のいずれかに記載の打楽器において、前記フープは、その下端よりも上面側に形成されると共に前記封止具が固着される固着部を備え、前記封止具が前記固着部に固着された状態において、前記封止具の下端が前記フープの下端よりも上方に位置する。
＜効果＞
技術的思想１記載の打楽器によれば、本体フレームの底部に形成されたボルト孔からボルトのおねじ部を挿入し、フープの凹設部におねじ部を螺合させることで、フープを本体フレームに固着させることができる。このように、ボルトを本体フレームの下面側から挿入し、本体フレームの内部でボルトが凹設部に螺合されるので、打面側に配設されるフープの上面側からボルトが露出することを回避できる。よって、打面側の美感を良くすることができるという効果がある。
技術的思想２記載の打楽器によれば、技術的思想１記載の打楽器の奏する効果に加え、フープの上面が外周側から内周側へ向かうにつれて下降傾斜しているので、ヘッドを打撃する際にフープが打撃されることを回避しやすくすることができる。
即ち、フープの上面をヘッドと略同一面上に配設することで、フープの上面をヘッドに似せることができ、ヘッドを大きく見せることができる一方、フープに凹設部が形成されたことによりフープの径方向における寸法が従来よりも大きくなる分、打楽器の演奏時に誤ってフープを打撃しやすくなる。
これに対し、フープの上面を外周側から内周側へ向かうにつれて下降傾斜させることで、ヘッドに近接するフープの内周側を打撃されにくくすることができるので、フープの上面をヘッドに似せつつフープが打撃されることによる異音の発生を回避しやすくできるという効果がある。
技術的思想３記載の打楽器によれば、技術的思想１又は２に記載の打楽器の奏する効果に加え、フープの下面に固着された封止具によって封止された凹設部にナットが遊嵌されているので、ナット及びフープの製造時において寸法誤差が生じた場合であっても、その寸法誤差を吸収することができるという効果がある。
また、ナットが凹設部に遊嵌されているので、ボルトのおねじ部が凹設部に挿入された際に、おねじ部がナットの軸心方向に対して斜め方向から挿入された場合であっても、ナットに対するおねじ部の螺入方向とナットの軸心方向とが一致するようにナットを凹設部の内部で変位させつつ、ボルトのおねじ部をナットに螺合させることができる。よって、ボルトをナットに螺合させる作業を効率的に行うことができるという効果がある。
技術的思想４記載の打楽器によれば、技術的思想３記載の打楽器の奏する効果に加え、凹設部は、ナットが遊嵌される第１収容部と、その第１収容部の凹設底面に凹設された第２収容部とを備え、フープの下面側から視た第２収容部の内周形状が、軸心方向から視たナットの外形よりも小さく、かつ、ボルトのおねじ部の外径よりも大きく設定されているので、フープの下面側から第１収容部に挿入されてナットに螺入されナットから第１収容部の凹設底面側へ突出したボルトのおねじ部の螺入方向先端側を第２収容部に収容することができる。よって、ボルトのおねじ部の螺入方向先端を本体フレームの底部からより上方まで螺入させることができるので、ヘッドに対し十分な張力調整範囲を確保することができるという効果がある。
技術的思想５記載の打楽器によれば、技術的思想３又は４に記載の打楽器の奏する効果に加え、略コ字状に形成された封止具をフープに嵌合させることで、フープに凹設部を形成したことで低下したフープの強度を封止具によって補強することができるという効果がある。
技術的思想６記載の打楽器によれば、技術的思想３から５のいずれかに記載の打楽器の奏する効果に加え、フープは、その下端よりも上面側に形成されると共に封止具が固着される固着部を備え、封止具がフープ本体に固着された状態において、封止具の下端がフープ本体の下端よりも上方に位置するので、フープを本体フレームに固着させる際に、封止具が本体フレームの底部に当接することでボルトの締め付けが制限されることを回避できる。よって、ヘッドに対し十分な張力調整範囲を確保することができるという効果がある。
【符号の説明】
【００７３】
１００                打楽器
２０                  本体フレーム
２１                  底部
２２                  フレーム外周部
２３                  フレーム内周部
２４                  ボルト孔
３０                  ヘッド
４０                  フープ
４１，２４１          フープ本体（フープの一部）
４４                  嵌合部（固着部）
４５，２４５          第２凹設部（凹設部）
４５ａ                第１収容部
４５ｂ                第２収容部
４６                  ナット
４７                  封止具
４７ｃ                第１挿通孔（挿通孔）
５０                  ボルト
５１                  おねじ部
５２                  頭部
【図１】
0005897895.tif 000002
【図２】
0005897895.tif 000003
【図３】
0005897895.tif 000004
【図４】
0005897895.tif 000005
【図５】
0005897895.tif 000006
【図６】
0005897895.tif 000007
【図７】
0005897895.tif 000008
【図８】
0005897895.tif 000009